(57)【要約】【課題】焼結多孔質トルマリンセラミックの水質改善効果を活用した、新規なマドラーを提供する。【解決手段】円筒状のボール容器１が液体を通過可能な複数の小孔４を周囲に有している。ボール容器１の一端には、柄２の一端が固定されている。ボール容器１は、開閉可能である。ボール３が、小孔４より大きく、ボール容器１の内部に収容されている。【選択図】図１
2004321595.tif 000002
【特許請求の範囲】
【請求項１】
液体を通過可能な孔を有するボール容器と、
前記ボール容器に設けられた柄と、
前記孔より大きく、前記ボール容器の内部に収容された焼結多孔質トルマリンセラミック製のボールとを、
有することを特徴とするマドラー。
【請求項２】
前記孔は前記柄と反対側の前記ボール容器の端部に形成され、前記ボールは前記孔から一部を突出可能な大きさを有し、前記ボール容器は前記ボールの前記孔から突出した部分を前記ボール容器の内部に収容可能な大きさを有することを、特徴とする請求項１記載のマドラー。
【発明の詳細な説明】
【０００１】
【発明の属する技術分野】
本発明は、ドリンク類を攪拌するためのマドラーに関する。
【０００２】
【従来の技術】
一般のマドラーは、柄の先端を太くして構成されている。ところで、焼結多孔質トルマリンセラミックには、水質を改善する効果があることが知られている。
【０００３】
【発明が解決しようとする課題】
本発明は、焼結多孔質トルマリンセラミックの水質改善効果を活用した、新規なマドラーを提供することを目的としている。
【０００４】
【課題を解決するための手段】
上記目的を達成するために、請求項１の本発明に係るマドラーは、液体を通過可能な孔を有するボール容器と、前記ボール容器に設けられた柄と、前記孔より大きく、前記ボール容器の内部に収容された焼結多孔質トルマリンセラミック製のボールとを、有することを特徴とする。
【０００５】
焼結多孔質トルマリンセラミック製のボールには、市販のもの（例えば、商品名：ＬＳ−ボール、販売元：ラコス株式会社）を用いることができる。ボール容器の内部に収容されるボールは、１個でも複数個でもよい。孔は、１個でも複数個でもよい。本発明に係るマドラーは、バースプーンとして利用してもよい。
【０００６】
請求項１の本発明に係るマドラーは、柄を持ってコップなどに入れたドリンク類の中にボール容器を入れ、柄を振ってボール容器でドリンク類を攪拌して使用する。ドリンク類は、ボール容器の孔を通過し、ボール容器の内部の焼結多孔質トルマリンセラミック製のボールと接触する。焼結多孔質トルマリンセラミック製のボールは、周囲のドリンク類の水をマイナスイオン化するとともに、遠赤外線を放射する。これにより、ドリンク類の水質等が変化し、美味しくなる。ドリンク類は、ワイン、焼酎、日本酒、ウイスキー、ジン、ブランデー、琉球の泡盛その他のアルコール類のほか、ジュース、牛乳等であってもよい。
【０００７】
請求項２の本発明に係るマドラーは、請求項１のマドラーにおいて、前記孔は前記柄と反対側の前記ボール容器の端部に形成され、前記ボールは前記孔から一部を突出可能な大きさを有し、前記ボール容器は前記ボールの前記孔から突出した部分を前記ボール容器の内部に収容可能な大きさを有することを、特徴とする。
【０００８】
請求項２の本発明に係るマドラーは、柄を持ってボール容器でドリンク類を攪拌するとき、ボール容器の孔から突出したボールの一部をコップなどの底で押して使用する。ボールは押されてボール容器の内部に引っ込み、このとき孔からボール容器の内部のドリンク類が押し出される。ボール容器による攪拌とともに、孔から押し出されるドリンク類の勢いで、コップなどに入れたドリンク類を攪拌することができる。こうして、柄を上下方向に軽く動かすだけでドリンク類を攪拌することができる。容器の内部に残るドリンク類は、焼結多孔質トルマリンセラミック製のボールの周囲にあるため、焼結多孔質トルマリンセラミック製のボールによるマイナスイオン化および遠赤外線の影響を受けやすい。このため、攪拌頻度を調節することにより、ドリンク類全体の水質等を好みに応じて変え、好みの美味しさ加減に調節することができる。
【０００９】
【発明の実施の形態】
以下、図面に基づき、本発明の第１および第２の実施の形態について説明する。
図１は、本発明の第１の実施の形態を示している。
図１に示すように、マドラー（飲料攪拌棒）は、ボール容器１と、柄２と、複数の焼結多孔質トルマリンセラミック製のボール３とから成っている。
【００１０】
ボール容器１は、円筒状であって、液体を通過可能な複数の小孔４を周囲に有している。ボール容器１の一端には、柄２の一端が固定されている。柄２は、ステンレスまたは耐熱プラスチックから成る。柄２の他端には、摘まみ部２ａが設けられている。ボール容器１は、開閉可能となっている。ボール３は、小孔４より大きく、ボール容器１の内部に収容されている。ボール容器１は、開いたとき、ボール３を内部から取出し可能である。ボール３は、特に、６乃至７ミリ径のものが適しており、ボール容器１の内部に４乃至６個収容することが好ましい。ボール３には、市販のもの（例えば、商品名：ＬＳ−ボール３、販売元：ラコス株式会社）を用いることができる。
【００１１】
マドラーは、柄２を持ってコップなどに入れたドリンク類の中にボール容器１を入れ、柄２を振ってボール容器１でドリンク類を攪拌して使用する。ドリンク類は、例えば、ウイスキーである。ドリンク類は、ボール容器１の孔４を通過し、ボール容器１の内部の焼結多孔質トルマリンセラミック製のボール３と接触する。焼結多孔質トルマリンセラミック製のボール３は、周囲のドリンク類の水をマイナスイオン化するとともに、遠赤外線を放射する。これにより、ドリンク類の水質等が変化し、美味しくなる。
【００１２】
次に、本発明の第２の実施の形態について説明する。
図２は、本発明の第２の実施の形態を示している。
図２に示すように、マドラー（飲料攪拌棒）は、ボール容器１１と、柄１２と、複数の焼結多孔質トルマリンセラミック製のボール１３とから成っている。
【００１３】
ボール容器１１は、円筒状であって、開閉可能となっている。ボール容器１１の一端には、柄１２の一端が固定されている。柄２の他端には、摘まみ部２ａが設けられている。柄１２は、ボール容器１１の中心線上に伸びている。円形の孔１４が、柄１２と反対側のボール容器１１の端部に形成されている。ボール１３は、ボール容器１１の内径よりやや小さく、孔１４より大きく、孔１４から一部を突出可能な大きさの径を有している。ボール容器１１は、高さがボール１３の径より大きく、ボール１３の孔１４から突出した部分１３ａをボール容器１１の内部に収容可能な大きさを有している。ボール容器１１は、開いたとき、ボール１３を内部から取出し可能である。
【００１４】
マドラーは、柄１２を持ってコップなどに入れたドリンク類の中にボール容器１１を入れ、柄１２を振ってボール容器１１でドリンク類を攪拌して使用する。柄１２を持ってボール容器１１でドリンク類を攪拌するとき、ボール容器１１の孔１４から突出したボール１３の部分１３ａをコップなどの底で押す。ボール１３は押されてボール容器１１の内部に引っ込み、このとき孔１４からボール容器１１の内部のドリンク類が押し出される。ボール容器１１による攪拌とともに、孔１４から押し出されるドリンク類の勢いで、コップなどに入れたドリンク類を攪拌することができる。
【００１５】
こうして、柄１２を上下方向に軽く動かすだけでドリンク類を攪拌することができる。攪拌によりボール容器１１の孔１４を通過したドリンク類は、ボール容器１１の内部の焼結多孔質トルマリンセラミック製のボール１３と接触する。焼結多孔質トルマリンセラミック製のボール１３は、周囲のドリンク類の水をマイナスイオン化するとともに、遠赤外線を放射する。これにより、ドリンク類の水質等が変化し、美味しくなる。
【００１６】
容器の内部に残るドリンク類は、焼結多孔質トルマリンセラミック製のボール１３の周囲にあるため、焼結多孔質トルマリンセラミック製のボール１３によるマイナスイオン化および遠赤外線の影響を受けやすい。このため、攪拌頻度を調節することにより、ドリンク類全体の水質等を好みに応じて変え、好みの美味しさ加減に調節することができる。
【００１７】
【発明の効果】
本発明によれば、焼結多孔質トルマリンセラミックの水質改善効果を活用した、新規なマドラーを提供することができる。
【図面の簡単な説明】
【図１】本発明の第１の実施の形態のマドラーの正面図である。
【図２】本発明の第２の実施の形態のマドラーの正面図である。
【符号の説明】
１，１１  ボール容器
２，１２  柄
３，１３  焼結多孔質トルマリンセラミック製のボール
４  小孔
１４  孔
【図１】
2004321595.tif 000003
【図２】
2004321595.tif 000004